(57)【要約】      （修正有）【課題】簡易な構成で設置が容易であると共に、飛来防止効果を広範囲に作用させることができる鳥類飛来防止装置を提供する。【解決手段】所定の高さ位置に張架される張架用糸線２０と、張架用糸線２０に係止される１乃至複数個の球体状磁石体１０とを少なくとも備えてなる鳥類飛来防止装置１であって、球体状磁石体１０は、連結体１３を介して、一対の略半球体状の分割磁石体１１、１２を、両極地がＳ極、Ｎ極である略球体状に連結させてなり、且つ分割磁石体１１、１２若しくは連結体１３に設けた案内溝を介して、張架用糸線２０に１乃至複数個の球体状磁石体１０を係止させてある。【選択図】図１
0003222880.tif 000002
【実用新案登録請求の範囲】
【請求項１】
支柱などを介して所定の高さ位置に張架される張架用糸線に、１乃至複数個の球体状磁石体を取り付けてなる鳥類飛来防止装置であって、前記球体状磁石体は、略半球体状に構成される一対の分割磁石体と、前記一対の分割磁石体をそれぞれの切口面側で連結する連結体とからなり、前記一対の分割磁石体は、切口面に、凹部若しくは凸部の少なくとも何れか一方からなる連結部を備えると共に、何れか一方の分割磁石体においては、切口面側をＮ極とし先端側をＳ極とし、他方の分割磁石体においては、切口面側をＳ極とし先端側をＮ極とし、前記連結体は、平板部材で構成されると共に、その上面及び下面に、一対の分割磁石体が備える凹部若しくは凸部のそれぞれと嵌合する凸部若しくは凹部からなる連結部を備え、更に、前記分割磁石体若しくは前記連結体には、前記張架用糸線を案内するための案内溝を設けてあり、前記連結体を介して、前記一対の分割磁石体を、両極地がＳ極、Ｎ極である略球体状に連結させて球体状磁石体を形成してあると共に、前記案内溝を介して、前記張架用糸線に、１乃至複数個の前記球体状磁石体を係止させてあることを特徴とする鳥類飛来防止装置。
【請求項２】
一対の分割磁石体が備える連結部は、切口面を開口部とする凹部で構成され、連結体が備える連結部は、連結体の上面及び下面のそれぞれから立設される凸部で構成され、且つ、前記連結体の上面と下面との何れか一面側に、案内溝を設けてあることを特徴とする請求項１に記載の鳥類飛来防止装置。
【請求項３】
張架用糸線を所定の高さ位置に張架するための少なくとも一対の支柱を備え、前記支柱は、台座部と、前記台座部に着脱自在に取り付けられる支柱部とからなると共に、前記支柱部の先端に張架用糸線を案内するための案内溝を設けてあることを特徴とする請求項１又は２に記載の鳥類飛来防止装置。
【考案の詳細な説明】
【技術分野】
【０００１】
本考案は、磁力を利用して鳥類の飛来を防止することができる鳥類飛来防止装置に関する。
【背景技術】
【０００２】
鳥類、特に鳩やカラスが人間の生活環境（例えば、建物のベランダ、駅構内、神社、工場、高架下、広告塔、電柱等）に住み着いた場合の弊害が種々指摘されている。例えば、排泄した糞による異臭や美観の低下、撤去作業の煩雑さに加えて、各種病原菌（オウム病、クリプトコッカス症等）の感染源となるリスクや、糞が酸性であることに伴う金属の腐食、鳴き声による騒音被害等である。そこで、従来、鳥類、特に鳩やカラスが人間の生活環境に住み着くことを防止するための手段として、例えば、疑似目玉や、屋根や床面等に載置する針付き敷物等、各種手段が開発されている。
このような鳥類の飛来を防止するための装置として、例えば、下記特許文献１がある。
【先行技術文献】
【特許文献】
【０００３】
【特許文献１】特開２０１６−１５８５１７号公報
【考案の概要】
【考案が解決しようとする課題】
【０００４】
上記特許文献１に示す従来技術は、鳥類飛来防止具に関する発明で、複数本のカラスや鳩等の大型鳥類防止用の樹脂製の長針１と、複数本のスズメやツバメ等の小型鳥類防止用の樹脂製の短針２とを混在させて樹脂製の取付用基板部３から突設させる技術が開示されている。このような構成とすることで、様々な大きさの鳥類の飛来を防止できると共に、樹脂で一体成形できるというメリットがある。
しかしながら、飛来防止具に接近或いは接触することではじめて鳥類の飛来防止効果を発揮できるものであることから、広範囲に設置することが必要であり、設置作業が煩雑になるという問題があった。
【０００５】
そこで本考案は上記従来技術の問題を解消し、簡易な構成で設置が容易であると共に、飛来防止効果を広範囲に作用させることができる鳥類飛来防止装置の提供を課題とする。
【課題を解決するための手段】
【０００６】
本考案の鳥類飛来防止装置は、支柱などを介して所定の高さ位置に張架される張架用糸線に、１乃至複数個の球体状磁石体を取り付けてなる鳥類飛来防止装置であって、前記球体状磁石体は、略半球体状に構成される一対の分割磁石体と、前記一対の分割磁石体をそれぞれの切口面側で連結する連結体とからなり、前記一対の分割磁石体は、切口面に、凹部若しくは凸部の少なくとも何れか一方からなる連結部を備えると共に、何れか一方の分割磁石体においては、切口面側をＮ極とし先端側をＳ極とし、他方の分割磁石体においては、切口面側をＳ極とし先端側をＮ極とし、前記連結体は、平板部材で構成されると共に、その上面及び下面に、一対の分割磁石体が備える凹部若しくは凸部のそれぞれと嵌合する凸部若しくは凹部からなる連結部を備え、更に、前記分割磁石体若しくは前記連結体には、前記張架用糸線を案内するための案内溝を設けてあり、前記連結体を介して、前記一対の分割磁石体を、両極地がＳ極、Ｎ極である略球体状に連結させて球体状磁石体を形成してあると共に、前記案内溝を介して、前記張架用糸線に、１乃至複数個の前記球体状磁石体を係止させてあることを第１の特徴としている。
また、本考案の鳥類飛来防止装置は、上記第１の特徴に加えて、一対の分割磁石体が備える連結部は、切口面を開口部とする凹部で構成され、連結体が備える連結部は、連結体の上面及び下面のそれぞれから立設される凸部で構成され、且つ、前記連結体の上面と下面との何れか一面側に、案内溝を設けてあることを第２の特徴としている。
また、本考案の鳥類飛来防止装置は、上記第１又は第２の特徴に加えて、張架用糸線を所定の高さ位置に張架するための少なくとも一対の支柱を備え、前記支柱は、台座部と、前記台座部に着脱自在に取り付けられる支柱部とからなると共に、前記支柱部の先端に張架用糸線を案内するための案内溝を設けてあることを第３の特徴としている。
【考案の効果】
【０００７】
請求項１に記載の鳥類飛来防止装置によれば、連結体によって、一対の分割磁石体を容易に連結させて両極地がＳ極、Ｎ極である球体状磁石体を形成することができる。また、案内溝を介して、球体状磁石体を容易に張架用糸線に係止させることができる。従って、張架用糸線に係止させた１乃至複数個の球体状磁石体により、全方位に磁力が作用する磁界を空中に作り出すことができ、地球磁場とは全く異なる異常変動磁場を所望の場所に発生させることができる。これにより、飛行方向を決定するために鳥類が頭部に備える生物磁石（磁鉄鉱）を効果的に混乱させて、設置場所に鳥類が近づくことを確実に防止することができる。
また、磁力を利用するものであることから、磁場を発生させることが可能な範囲に渡って満遍なく飛来防止効果を作用させることができる。
【０００８】
また、請求項２に記載の鳥類飛来防止装置によれば、上記請求項１に記載の構成による作用効果に加えて、分割磁石体と連結体との嵌合箇所を分割磁石体の内部に収めることができる。よって、球体状磁石体の総厚みを効果的に低減させることができ、球体状磁石体の小型化が可能な鳥類飛来防止装置とすることができる。
【０００９】
また、請求項３に記載の鳥類飛来防止装置によれば、上記請求項１又は２に記載の構成による作用効果に加えて、支柱を備える構成とすることで、張架用糸線を所望の場所に容易に設置することができる。よって、如何なる場所にも設置が可能な鳥類飛来防止装置とすることができる。
【図面の簡単な説明】
【００１０】
【図１】本考案の実施形態に係る鳥類飛来防止装置を示す全体斜視図である。
【図２】本考案の実施形態に係る鳥類飛来防止装置を構成する球体状磁石体を示す図で、（ａ）は正面図、（ｂ）は分解斜視図である。
【図３】本考案の実施形態に係る鳥類飛来防止装置を構成する連結体を示す図で、（ａ）は正面図、（ｂ）は斜視図である。
【図４】本考案の実施形態に係る鳥類飛来防止装置を構成する支柱を示す分解斜視図である。
【図５】本考案の実施形態に係る鳥類飛来防止装置の球体状磁石体の磁場分布状態を模式的に示す図である。
【考案を実施するための形態】
【００１１】
以下の図面を参照して、本考案の実施形態に係る鳥類飛来防止装置を説明し、本考案の理解に供する。しかし、以下の説明は本考案の実用新案登録請求の範囲に記載の考案を限定するものではない。
【００１２】
図１、図２を参照して、本考案の実施形態に係る鳥類飛来防止装置１を説明する。
【００１３】
本考案の実施形態に係る鳥類飛来防止装置１は、地球磁場とは全く異なる異常変動磁場を所望の場所に発生させ、これによって、飛行方向を決定するために鳥類が頭部に備える生物磁石（磁鉄鉱）を効果的に混乱させて、設置場所に鳥類が近づくことを確実に防止することができるものである。
この鳥類飛来防止装置１は、球体状磁石体１０と、張架用糸線２０と、支柱３０とで構成される。
【００１４】
前記球体状磁石体１０は、鳥類が頭部に備える生物磁石（磁鉄鉱）を効果的に混乱させることが可能な異常磁場を発生させるためのものである。
この球体状磁石体１０は、図２、図３に示すように、一対の分割磁石体１１、１２と、連結体１３とで構成される。
【００１５】
前記一対の分割磁石体１１、１２は、地球磁場（わが国では、約０．４５乃至０．５ガウス程度）を局部的に変動させることで、鳥類が頭部に備える生物磁石（磁鉄鉱）を効果的に混乱させることが可能な異常磁場を発生させるための磁石である。
本実施形態においては、分割磁石体１１、１２として、略半球体状に構成される磁石体を用いている。また、分割磁石体１１、１２について、形状、大きさが同じ磁石を用いる構成としてある。
また、分割磁石体１１においては、図２（ｂ）に示す切口面１１ａ側をＮ極とし、先端１１ｂ側をＳ極とする磁石体を用いている。一方、分割磁石体１２においては、図２（ｂ）に示す切口面１２ａ側をＳ極とし、先端１２ｂ側をＮ極とする磁石体を用いている。
更に、切口面１１ａ、１２ａには、それぞれ、略円柱状の凹部で形成される連結部１１ｃ、１２ｃを設けてある。また、本実施形態においては、連結部１１ｃ、１２ｃを同一形状、同一大きさとする構成としてある。
【００１６】
なお、分割磁石体１１、１２を構成する磁石体としては、鳥類の生物磁石がマグネタイトであることから、マグネタイトを原料とし、異方性に優れたフェライト磁石を用いることが望ましい。また、磁力については、複数個の球体状磁石体１０を所定の間隔を以て張架用糸線２０に係止させた状態において、０．５ガウス程度の磁力線が横方向に連続的に分布される表面磁力（表面が１０００ガウス強）を有するものを用いることが望ましい。勿論、このような磁力に限るものではなく、設置場所に合わせて発生させる磁力の大きさは適宜変更可能である。
なお、本実施形態においては図１に示すように、球体状磁石体１０を２個用いる構成としたが、球体状磁石体１０の個数はこれに限るものではなく、設置場所の環境に合わせて、１乃至複数個の球体状磁石体１０を用いる構成とすればよい。また、複数個の球体状磁石体１０を用いる場合には、図５に模式的に示すように、隣接する球体状磁石体１０が発生する磁力線４０が広がる分布となるような間隔をもって複数個の球体状磁石体１０を張架用糸線２０に係止させることが望ましい。
【００１７】
前記連結体１３は、一対の分割磁石体１１、１２を、互いの切口面１１ａ、１２ａの側で連結させて、球体状磁石体１０を形成すると共に、球体状磁石体１０を張架用糸線２０に係止させるためのものである。
図３に示すように、この連結体１３は、本体１３ａと、一対の連結部１３ｂとで構成される。
【００１８】
前記本体１３ａは、連結体１３の土台となるものである。本実施形態においては、略円形の平板部材で本体１３ａを構成してある。また、図２（ａ）に示すように、本体１３ａの直径を、略半球体状に構成される分割磁石体１１、１２の直径と同じ長さとしてある。このような構成とすることで、球体状磁石体１０を形成した際に、滑らかな曲面を有する球体を構成することができ、雨、風の影響を受けにくい球体状磁石体１０とすることができる。
また、図３に示すように、本体１３ａの上面１３ｄには、張架用糸線２０を案内するための案内溝１３ｆを設けてある。本実施形態においては図３に示すように、案内溝１３ｆを略Ｕ字状の凹所で形成してある。また、円形に構成される上面１３ｄの直径と同じ長さで、且つ上面１３ｄの中心を通る位置に案内溝１３ｆを設けてある。
更に、案内溝１３の深さを、張架用糸線２０を案内溝１３に差し込んだ状態において、張架用糸線２０が上面１３ｄよりも下方に配置されるような深さとしてある。このような構成とすることで、分割磁石体１１の切口面１１ａを連結体１３の上面１３ｄに隙間なく当接させることでき、分割磁石体１１と連結体１３との結合強度を向上させることができる。また、分割磁石体１１と連結体１３との間にごみや埃等が侵入することを効果的に防止することができる。
なお、本実施形態においては、案内溝１３ｆを本体１３ａの上面１３ｄに設ける構成としたが、必ずしもこのような構成に限るものではなく、下面１３ｅに設ける構成としてもよい。
また、案内溝１３の内面に、ゴムなどの摩擦抵抗の大きい部材を被覆させるような構成としてもよい、このような構成とすることで、球体状磁石体１０が水平方向へ移動することや、回転することを効果的に防止することができる。
【００１９】
前記一対の連結部１３ｂは、一対の分割磁石体１１、１２を連結させるためのものである。
本実施形態においては図３に示すように、本体１３ａの上面１３ｄ、下面１３ｅの中心位置に、上面１３ｄ、下面１３ｅのそれぞれから鉛直方向に立設される凸部で一対の連結部１３ｂを構成してある。なお、連結部１３ｂを構成する凸部は、分割磁石体１１、１２に設ける連結部１１ｃ、１２ｃに嵌合させた状態において、分割磁石体１１、１２が容易に抜け落ちない程度の形状、大きさ、長さで構成されている。より具体的には、本実施形態においては、連結部１３ｂを構成する凸部は、連結部１１ｃ、１２ｃよりも一回り小さい形状で、大きさ、長さで構成されている。
【００２０】
また、一対の連結部１３ｂの外周には、連結部１３ｂを連結部１１ｃ、１２ｃに嵌合させた状態において、分割磁石体１１、１２が鉛直方向に移動することを防止するための係止片１３ｃが設けられている。本実施形態においては、連結部１３ｂの外周に、連結部１３ｂの長手方向と直交する方向に延びる所定幅の凸部を設けることで係止片１３ｃを形成してある。また、上面１３ｄと下面１３ｅとにそれぞれ備える連結部１３ｂに、一対の係止片１３ｃを連結部１３ｂの長手方向に並列配置させてある。なお、この係止片１３ｃは、連結部１３ｂと一体成形するような構成としてもよいし、連結部１３ｂの外周に例えば、ゴムなどの摩擦抵抗の大きい別部材を配置するような構成としてもよい。また、係止片１３ｃの数や配置位置も本実施形態のものに限るものではなく、適宜変更可能である。
【００２１】
更に、図３に示すように、上面１３ｄに設ける連結部１３ｂには、張架用糸線２０を案内するための案内溝１３ｇを設けてある。具体的には図３に示すように、上面１３ｄに備える連結部１３ｂを長手方向に貫通してなる貫通孔で案内溝１３ｇを構成してある。また、案内溝１３ｇを、本体１３ａの上面１３ｄに設ける案内溝１３ｆと同一線上となる位置に設けてあると共に、案内溝１３ｇの幅を、案内溝１３ｆと同じ幅としてある。
更に、案内溝１３ｇの幅を、連結部１３ｂの長手方向の一端側から他端側に渡って同じ幅としてある。勿論、案内溝１３ｇの幅は、このような構成に限るものではなく、適宜変更可能である。例えば、先端側をその他の部分よりも広くするような構成としてもよい。このような構成とすることで、張架用糸線２０を案内溝１３ｇに案内する際に、案内開始側の開口部を広くすることができ、張架用糸線２０を案内溝１３ｇに一段と容易に案内することができる。
【００２２】
このような構成からなる連結体１３は、分割磁石体１１、１２から生じる磁力を阻害することのない素材であれば、如何なるものを用いてもよい。
【００２３】
前記張架用糸線２０は、球体状磁石体１０を係止させるための線材である。張架用糸線２０として用いる線材としては、球体状磁石体１０を係止させることができるものであれば、如何なるものを用いてもよい。但し、好適には、鳥類飛来防止装置１は、主に野外に設置されるものであることから、強靭性、耐候性、耐蝕性に優れたものを用いることが望ましい。例えば、ステンレス製のワイヤーロープを用いることができる。更に好適には、
素線径が０．１２ｍｍ程度、ロープ径が０．３６ｍｍ程度、切断荷重が１５．０ｋｇ程度の７本からなる撚線で構成されたステンレス製のワイヤーロープを用いることが望ましい。
また、本実施形態においては、張架線糸線２０を１本用いる構成としたが、必ずしもこのような構成に限るものではなく、設置場所に合わせて複数本を用いる構成としてもよい。
【００２４】
前記支柱３０は、張架用糸線２０を所定の高さ位置に張架するためのものである。
この支柱３０は、図４に示すように、台座部３１と、支柱部３２と、ナット３３とで構成される。
【００２５】
前記台座部３１は、支柱３０の土台を構成し、設置場所における設地部を構成するものである。
本実施形態においては、矩形状の板状部材で台座部３１を構成してある。
また、台座部３１の略中央位置には、支柱部３２を受け入れて着座させるための着座部３１ａを設けてある。具体的には、中央位置に貫通孔Ｋを備える截頭円錐体状の凸部で着座部３１ａを構成してある。
また、台座部３１の長手方向両端部付近には、接着剤調節孔３１ｂを設けてある。本実施形態においては、矩形状の貫通案で接着剤調節孔３１ｂを構成し、台座部３１の長手方向両端部付近に、一対の接着剤調節孔３１ｂを、台座部３１の短手方向に並列配置させてある。
【００２６】
前記支柱部３２は、張架用糸線２０を所定の高さ位置に持ち上げるためのものである。
本実施形態においては、この支柱部３２は、頭部３２ａと、胴部３２ｂと、着座部３２ｃと、ねじ部３２ｄとで構成される。
【００２７】
前記頭部３２ａは、張架用糸線２０を載置させるためのものである。本実施形態においては、平板状部材で頭部３２を構成すると共に、その先端部に張架用糸線２０を差し込んで案内するための係止溝Ｕを設けてある。また、係止溝Ｕの形状を、開口部が小さく、奥に行くにつれて次第に広がる略Ｕ字形状としてある。このような構成とすることで、張架用糸線２０が係止溝Ｕから脱落し難い構成とすることができる。
なお、図示していないが、本実施形態においては、係止溝Ｕに差し込んだ張架用糸線２０部分にカミツブシ錘のようなものを取り付けることで、張架用糸線２０が一定の張力を保持した状態で移動しないような構成としてある。勿論、このような構成に限るものではなく、張架用糸線２０の固定方法は適宜変更可能である。
なお、張架用糸線２０の張力としては、２５ｋｇ以上の引張荷重となるような構成とすることが望ましい。
【００２８】
前記胴部３２ｂは、支柱部３２の骨格を構成するもので、この胴部３２ｂの長さを適宜の長さに変更することで、張架用糸線２０の張架高さを適宜変更させることが可能となる。なお、支柱部３２の長さは、設置場所に合わせて適宜変更可能である。例えば、１０ｃｍから１５ｃｍ程度とすることができる。
また、本実施形態においては、円柱状部材を用いて胴部３２ｂを形成してある。
更に、胴部３２の構成として、長さが可変不能な胴部３２を用いる構成としてある。勿論、必ずしもこのような構成に限るものではなく、胴部３２ｂの長さを可変可能な伸縮機構を備える胴部３２としてもよい。このような構成とすることで、支柱部３２の高さを所望の高さに容易に変更することが可能となり、一段と汎用性の高い鳥類飛来防止装置とすることができる。
【００２９】
前記着座部３２ｃは、支柱部３２が下方へ移動することを防止するための移動防止用片を構成すると共に、ねじ部３２ｄとナット３３とを介して、支柱部３２を台座部３１に固定させる際の位置決め部を構成するものである。
本実施形態においては、胴部３２ｂの外周に環状の凸部を設けることで、着座部３２ｃを形成してある。より具体的には、着座部３２ｃの直径が、台座部３１に設ける貫通孔Ｋの直径を超える長さとなるような構成としてある。
なお、着座部３２ｃの形状は本実施形態のものに限るものではなく、着座部３２ｃの直径が、台座部３１に設ける貫通孔Ｋの直径を超える長さとなるものであれば、如何なる形状としてもよい。
【００３０】
前記ねじ部３２ｄは、支柱部３２を台座部３１に固定するための固定部材となるものである。本実施形態においては、略円柱状の棒状部材の外周にねじ切り加工を施すことで、ねじ部３２ｄを構成してある。
また、ねじ部３２ｄの直径を、台座部３１に設ける貫通孔Ｋの直径未満の長さとしてある。
このような構成のねじ部３２ｄは、貫通孔Ｋに挿入された状態で、ナット３３が螺合さされる。これによって、台座部３１と支柱部３２とが一体化されて、支柱３０が形成される。
【００３１】
次に、以上の構成からなる鳥類飛来防止装置１を設置場所に設置する際の工程を説明する。
【００３２】
まず、鳥類飛来防止装置１の設置場所を決め、図１に示すように、一対の支柱３０を設置場所に固定させる。この際、本実施形態においては、接着剤調節孔３１ｂを備える構成としてあることから、例えば、台座部３１の裏面にエポキシ系接着剤等を塗布して設置面に接着させる。この際、余分な接着剤が各接着剤調節孔３１ｂから溢れ出させることができ、一段と接着強度を高めることができる。
なお、支柱３０の設置場所への固定方法は、接着剤を用いた固定方法に限るものではなく、適宜変更可能である。例えば、Ｈ鋼やＬ鋼に支柱３０を固定する場合には、固定クランプを用いて固定するような構成としてもよい。
そして、張架用糸線２０を一対の支柱３０に備える係止溝Ｕに係止させて、一定の張力を保持した状態で固定する。これによって、一対の支柱３０を介して、張架用糸線２０が所定の高さに張架される。
次に、図２、図３も参照して、連結体１３を介して一対の分割磁石体１１、１２を球体状磁石体１０となるように連結させる。この際、予め、連結体１３の上面１３ｄ側に設けた案内溝１３ｆ、１３ｇに張架用糸線２０を案内させた状態で、連結体１３を介して一対の分割磁石体１１、１２を球体状磁石体１０となるように連結させる。具体的には、上面１３ｄ側の連結部１３ｂを分割磁石体１１の連結部１１ｃに嵌合させると共に、下面１３ｅ側の連結部１３ｂを分割磁石体１２の連結部１２ｃに嵌合させる。
これによって、図１、図２（ａ）に示すように、張架用糸線２０が一対の分割磁石体１１、１２に挟まれた状態で、球体状磁石体１０が形成されると共に、球体状磁石体１０が張架用糸線２０に係止される。
以上によって、鳥類飛来防止装置１の設置が完了する。
【００３３】
このような構成からなる本考案の実施形態に係る鳥類飛来防止装置１は、以下の効果を奏する。
【００３４】
連結体１３の上面１３ｄ、下面１３ｅに設けた連結部１３ｂを、分割磁石体１１、１２に設けた連結部１１ｃ、１２ｃに嵌合させるだけで球体状磁石体１０を形成可能な構成とすることで、簡易且つ迅速に球体状磁石体１０を形成することができる。また、その際、両極地がＳ極、Ｎ極である球体状磁石体１０を形成することで、全方位に磁力が作用する球体状磁石体１０とすることができる。
また、分割磁石体１１、１２を連結させる前段階として、連結体１３に設けた案内溝１３ｆに予め張架用糸線２０を案内（配置）した状態とすることで、分割磁石体１１、１２を連結させる作業を通して、張架用糸線２０に球体状磁石体１０を係止させることができる。
以上の効果が合わさることで、張架用糸線２０に係止させた球体状磁石体１０により、全方位に磁力が作用する磁界を空中に作り出すことができ、地球磁場とは全く異なる異常変動磁場を所望の場所に形成することができる。これにより、飛行方向を決定するために鳥類が頭部に備える生物磁石（磁鉄鉱）を効果的に混乱させて、設置場所に鳥類が近づくことを確実に防止することができる。加えて、このような効果を備える鳥類飛来防止装置１をどのような場所にも容易に設置することができる。
【００３５】
また、磁力を利用するものであることから、磁場を発生させることが可能な範囲に渡って満遍なく飛来防止効果を作用させることができる。更に、鳥類が慣れることがなく、飛来防止効果を持続可能な鳥類飛来防止装置１とすることができる。
加えて、複数個の球体状磁石体１０を所定の間隔をあけて張架用糸線２０に係止させる構成とすれば、地球磁場とは全く異なる異常変動磁場を所望の場所に広範囲に渡って作用させることが可能となる。よって、簡易な構成ながら一段と飛来防止効果の高い鳥類飛来防止装置１とすることができる。
【００３６】
また、分割磁石体１１、１２に設ける連結部１１ｃ、１２ｃを凹部で構成し、連結体１３に設ける連結部１３ｂを凸部で構成することで、分割磁石体１１、１２と連結体１３との嵌合箇所を分割磁石体１１、１２の内部に収めることができる。よって、分割磁石体１１、１２と連結体１３との嵌合箇所が分割磁石体１１、１２の内部に収まることで、球体状磁石体１０の総厚みを効果的に低減させることができる。従って、球体状磁石体１０の小型化が可能な鳥類飛来防止装置１とすることができる。
【００３７】
また、張架用糸線２０として、複数本のステンレス製のワイヤーロープを撚った撚線を用いる構成とすれば、一段と強度が高く、耐久性の高い鳥類飛来防止装置１とすることができる。
【００３８】
また、張架用糸線２０を所定の高さ位置に張架するための支柱３０を備えることで、張架用糸線２０を所望の場所にいつでも容易に設置することができる。よって、如何なる場所にも設置が可能な鳥類飛来防止装置１とすることができる。
【００３９】
なお、既述した実施形態に係る鳥類飛来防止装置１においては、分割磁石体１１、１２に設ける連結部１１ｃ、１２ｃを凹部で構成すると共に、連結体１３に設ける連結部１３ｂを凸部で構成するものとしたが、必ずしもこのような構成に限るものではない。例えば、分割磁石体１１、１２に設ける連結部１１ｃ、１２ｃを凸部で構成すると共に、連結体１３に設ける連結部１３ｂを凹部で構成するものとしてもよい。或いは、分割磁石体１１、１２に設ける連結部と、連結体１３に設ける連結部１３ｂとして、凹部と凸部との両方を設ける構成としてもよい。
【００４０】
また、既述した実施形態に係る鳥類飛来防止装置１においては、支柱３０を備える構成としたが、支柱３０は必ずしも必要なものではない。例えば、一定の張力をもって張架用糸線２０を所定の高さ位置に張架可能な設置場所であれば、支柱３０を用いない構成としてもよい。
【産業上の利用可能性】
【００４１】
本考案の鳥類飛来防止装置は、簡易な構成で設置が容易であると共に、飛来防止効果を広範囲に作用させることができることから、鳥類飛来防止装置の産業分野において有用であり、産業上の利用可能性が大きい。
【符号の説明】
【００４２】
１        鳥類飛来防止装置
１０      球体状磁石体
１１      分割磁石体
１１ａ    切口面
１１ｂ    先端
１１ｃ    連結部
１２      分割磁石体
１２ａ    切口面
１２ｂ    先端
１２ｃ    連結部
１３      連結体
１３ａ    本体
１３ｂ    連結部
１３ｃ    係止片
１３ｄ    上面
１３ｅ    下面
１３ｆ    案内溝
１３ｇ    案内溝
２０      張架用糸線
３０      支柱
３１      台座部
３１ａ    着座部
３１ｂ    接着剤調節孔
３２      支柱部
３２ａ    頭部
３２ｂ    胴部
３２ｃ    着座部
３２ｄ    ねじ部
３３      ナット
４０      磁力線
Ｋ        貫通孔
Ｕ        係止溝
【図１】
0003222880.tif 000003
【図２】
0003222880.tif 000004
【図３】
0003222880.tif 000005
【図４】
0003222880.tif 000006
【図５】
0003222880.tif 000007